(57)【要約】【課題】雨水や埃等の侵入を防いで、着座部が汚れるのを防止することができ、さらに、着座部に座った子供が前方からの風をまともに受けるのを防止することが可能な子供用座席を提供する。【解決手段】着座部１５を備えた座席本体６に、背もたれ７と足乗せ８とが設けられ、着座部１５の上方を覆う開閉自在なカバー９が座席本体６に設けられ、カバー９は前部カバー体９ａと後部カバー体９ｂとに分割され、前部カバー体９ａは開いた状態で風防としての機能を有する。【選択図】図６
2008137469.tif 000002
【特許請求の範囲】
【請求項１】
自転車に取付可能な子供用座席であって、
内部に着座部を有する座席本体に、背もたれと足乗せとが設けられ、
着座部の上方を覆う開閉自在なカバーが設けられていることを特徴とする子供用座席。
【請求項２】
背もたれは、座席本体から上方に突出する使用位置と、座席本体内に収納される収納位置とに上下動可能であり、
カバーは座席本体に設けられ、
背もたれを収納位置へ下降させた状態で、カバーを閉めることができ、カバーを開いた状態で、背もたれを使用位置へ上昇させることができるように構成されていることを特徴とする請求項１に記載の子供用座席。
【請求項３】
背もたれの使用位置の高さを調節することが可能であることを特徴とする請求項２に記載の子供用座席。
【請求項４】
背もたれを使用位置に固定する背もたれ用固定装置が設けられていることを特徴とする請求項２又は請求項３に記載の子供用座席。
【請求項５】
カバーは前部カバー体と後部カバー体とに分割され、
前部カバー体は開いた状態で風防としての機能を有することを特徴とする請求項１から請求項４のいずれか１項に記載の子供用座席。
【請求項６】
前部カバー体は座席本体の前部に回動自在に設けられ、
前部カバー体を固定する前部カバー体用固定装置が設けられていることを特徴とする請求項５に記載の子供用座席。
【請求項７】
座席本体に、座席本体の内外に連通する足挿通用口が形成され、
足乗せは座席本体に開閉自在に設けられ、
足乗せを開くと、足挿通用口が開口し、
足乗せを閉じると、足挿通用口が閉じられ、
カバーと足乗せとを閉じることによって、座席本体内に、座席本体とカバーと足乗せとで囲まれた収納空間が形成されることを特徴とする請求項１から請求項６のいずれか１項に記載の子供用座席。
【請求項８】
背もたれとカバーとが兼用されていることを特徴とする請求項１に記載の子供用座席。
【請求項９】
前記請求項１から請求項８のいずれか１項に記載の子供用座席を備えたことを特徴とする自転車。
【発明の詳細な説明】
【技術分野】
【０００１】
本発明は、自転車の子供用座席、および、子供用座席を取付けた自転車に関する。
【背景技術】
【０００２】
従来、自転車に取付けられる子供用座席としては、例えば図２３に示すように、ハンドル１２０に取付けられた子供用座席１２１がある（下記特許文献１参照）。この子供用座席１２１は、内部に着座部１２２を有する座席本体１２３と、背もたれ１２４と、足乗せ１２５とを備えている。背もたれ１２４は、座席本体１２３の後端部に、ヒンジ手段１２６を支点にしてリクライニング可能に設けられている。また、足乗せ１２５は座席本体１２３の前端下部に開閉自在に設けられている。
【特許文献１】特開２００１−２１９８７９
【発明の開示】
【発明が解決しようとする課題】
【０００３】
しかしながら前記従来の構成では、着座部１２２の上方は常に開放されているため、駐輪時に雨水や埃等が座席本体１２３の内部に侵入して、着座部１２２が汚れるという課題がある。また、子供用座席１２１に子供を座らせて自転車を走行させている際、子供は前方からの風をまともに受けてしまうという課題がある。
【０００４】
本発明は、前記従来の課題を解決するもので、雨水や埃等の侵入を防いで、着座部が汚れるのを防止することができ、さらに、着座部に座った子供が前方からの風をまともに受けてしまうのを防止することが可能な子供用座席および自転車を提供することを目的とする。
【課題を解決するための手段】
【０００５】
前記従来の課題を解決するために、本発明における自転車に取付可能な子供用座席は、内部に着座部を有する座席本体に、背もたれと足乗せとが設けられ、着座部の上方を覆う開閉自在なカバーが設けられているものである。
【０００６】
本構成によれば、子供用座席を使用しない場合、カバーを閉めることによって、着座部の上方がカバーで覆われる。このため、雨水や埃等が座席本体の内部に侵入するのを防ぐことができ、着座部が汚れるのを防止することができる。
【発明の効果】
【０００７】
本発明によると、カバーを閉めることによって、着座部の上方がカバーで覆われるため、雨水や埃等が座席本体の内部に侵入するのを防ぐことができ、着座部が汚れるのを防止することができる。
【発明を実施するための最良の形態】
【０００８】
本第１発明は、自転車に取付可能な子供用座席であって、
内部に着座部を有する座席本体に、背もたれと足乗せとが設けられ、
着座部の上方を覆う開閉自在なカバーが設けられているものである。
【０００９】
これによると、子供用座席を使用しない場合、カバーを閉めることによって、着座部の上方がカバーで覆われる。このため、雨水や埃等が座席本体の内部に侵入するのを防ぐことができ、着座部が汚れるのを防止することができる。
【００１０】
また、子供用座席を使用する場合、カバーを開くことによって、着座部の上方が開放され、子供が着座部に座って背もたれにもたれ両足を足乗せに乗せることができる。
本第２発明は、背もたれは、座席本体から上方に突出する使用位置と、座席本体内に収納される収納位置とに上下動可能であり、
カバーは座席本体に設けられ、
背もたれを収納位置へ下降させた状態で、カバーを閉めることができ、カバーを開いた状態で、背もたれを使用位置へ上昇させることができるように構成されているものである。
【００１１】
これによると、子供用座席を使用する場合、カバーを開き、背もたれを使用位置へ上昇させる。これにより、着座部の上方が開放され、背もたれが座席本体から上方に突出し、子供が着座部に座って背もたれにもたれ両足を足乗せに乗せることができる。
【００１２】
また、子供用座席を使用しない場合、背もたれを収納位置へ下降させ、カバーを閉める。これにより、背もたれが座席本体内に収納され、着座部の上方がカバーで覆われ、雨水や埃等が座席本体の内部に侵入するのを防ぐことができる。
【００１３】
本第３発明は、背もたれの使用位置の高さを調節することが可能であるものである。
これによると、子供の体格に応じて、背もたれの使用位置の高さを変えることができるため、快適な座り心地を得ることができる。
【００１４】
本第４発明は、背もたれを使用位置に固定する背もたれ用固定装置が設けられているものである。
これによると、背もたれ用固定装置によって、背もたれを使用位置に固定することができる。また、背もたれ用固定装置による固定を解除することによって、背もたれを使用位置と収納位置とに上下動させることができる。
【００１５】
本第５発明は、カバーは前部カバー体と後部カバー体とに分割され、
前部カバー体は開いた状態で風防としての機能を有するものである。
これによると、前部カバー体と後部カバー体とを閉めることによって、着座部の上方がカバーで覆われる。また、前部カバー体と後部カバー体とを開くことによって、着座部の上方が開放され、子供が着座部に座って背もたれにもたれ両足を足乗せに乗せることができる。この際、開かれた前部カバー体は風防としての機能を有するため、前方からの風が前部カバー体で遮られ、これにより、着座部に座った子供が前方からの風をまともに受けてしまうのを防止することができる。
【００１６】
本第６発明は、前部カバー体は座席本体の前部に回動自在に設けられ、
前部カバー体を固定する前部カバー体用固定装置が設けられているものである。
これによると、前部カバー体用固定装置によって、前部カバー体を開いた状態および閉めた状態で固定することができる。また、前部カバー体用固定装置による固定を解除することによって、前部カバー体を回動させて開閉させることができる。
【００１７】
本第７発明は、座席本体に、座席本体の内外に連通する足挿通用口が形成され、
足乗せは座席本体に開閉自在に設けられ、
足乗せを開くと、足挿通用口が開口し、
足乗せを閉じると、足挿通用口が閉じられ、
カバーと足乗せとを閉じることによって、座席本体内に、座席本体とカバーと足乗せとで囲まれた収納空間が形成されるものである。
【００１８】
これによると、子供用座席を使用する場合、カバーと足乗せとを開くことによって、着座部の上方が開放されるとともに、足挿通用口が開口する。これにより、子供が、着座部に座って、背もたれにもたれ、両足を足挿通用口に挿通して足乗せに乗せることができる。
【００１９】
また、子供用座席を使用しない場合、カバーと足乗せとを閉めることによって、着座部の上方がカバーで覆われるとともに、足挿通用口が閉じられ、座席本体内に収納空間が形成される。これによって、雨水や埃等が座席本体の内部に侵入するのをより一段と確実に防ぐことができ、さらに、収納空間にヘルメット等の物品を収納することもできる。
【００２０】
本第８発明は、背もたれとカバーとが兼用されているものである。
これによると、背もたれとカバーとを共通の部材で構成することができるため、部品点数を削減してコストダウンを図ることができる。
【００２１】
本第９発明は、前記第１発明から第８発明のいずれかに記載の子供用座席を備えたことを特徴とする自転車である。
以下、本発明の実施の形態について、図面を参照しながら説明する。
【００２２】
（実施の形態１）
以下、本発明の実施の形態１を図１〜図１６を参照しながら説明する。
図１に示すように、１は自転車であり、そのハンドル２のハンドルバー２ａには子供用座席５が取付けられている。図２〜図６に示すように、子供用座席５は座席本体６と背もたれ７と足乗せ８とカバー９とを有している。
【００２３】
座席本体６は、前板１１と後板１２と左右一対の側板１３ａ，１３ｂと底板１４とで箱状に形成され、これら前板１１と後板１２と側板１３ａ，１３ｂとで囲まれた着座部１５を内部に有している。
【００２４】
座席本体６の前端下部には、座席本体６の内外へ連通する足挿通用口１６が形成されている。足挿通用口１６の左右中央部には、足挿通用口１６を左側の開口部と右側の開口部とに分ける仕切フレーム１８が設けられている。仕切フレーム１８の一端は前板１１に設けられ、他端は底板１４に設けられている。
【００２５】
背もたれ７は、座席本体６の後板１２に設けられており、板状の背もたれ本体部１９と、背もたれ本体部１９の上部から左右外側方かつ前方に張り出したヘッドレスト部２０とを備えている。尚、底板１４の内面と背もたれ７の内面とにはそれぞれ内張り（図示せず）が設けられている。これら内張りは、表面が生地や皮革であり、その内側がウレタン等のスポンジである。
【００２６】
図６，図７に示すように、背もたれ７は、座席本体６から上方に突出する複数の使用位置Ａ１，Ａ２，Ａ３と、座席本体６の内部に収納される収納位置Ｂとに上下動可能であり、案内装置２１により上下方向へ案内されている。図７，図８に示すように、案内装置２１は案内突部２２と案内板２３とで構成されている。案内突部２２は、前方へ突出しており、座席本体６の後板１２の左右中央部に上下方向にわたって形成されている。案内板２３は背もたれ本体部１９の後面側に左右一対設けられており、両案内板２３間に案内突部２２が挿入されている。
【００２７】
背もたれ７の取付け部分の構造は、図７〜図１０に示すように、案内突部２２にスライド用の溝２４が上下方向にわたって形成され、背もたれ本体部１９の後面側にスライド用の突起部材２５が形成され、突起部材２５が溝２４に上下動自在に嵌め込まれている。突起部材２５の後端には、溝２４の幅よりも幅広の取付板２６がボルト２７によって取付けられている。この取付板２６は、背もたれ７が座席本体６の後板１２から外れてしまうのを阻止しており、これにより、背もたれ７が上下動自在に座席本体６の後板１２に設けられる。
【００２８】
背もたれ本体部１９と座席本体６の案内突部２２とには、背もたれ７を高さの異なる各使用位置Ａ１〜Ａ３に固定するための背もたれ用固定装置２８が設けられている。背もたれ用固定装置２８は固定レバー２９と操作レバー３０とリンク３１と上下複数の固定用溝３２ａ，３２ｂ，３２ｃとを有している。
【００２９】
各固定用溝３２ａ〜３２ｃは、案内突部２２に形成されており、溝２４に対して左右方向に直交している。尚、上段の固定用溝３２ａが上段の使用位置Ａ１に対応し、中段の固定用溝３２ｂが中段の使用位置Ａ２に対応し、下段の固定用溝３２ｃが下段の使用位置Ａ３に対応している。
【００３０】
固定レバー２９は、左右方向の横軸３３を支点として、回動自在に背もたれ本体部１９に連結されている。また、リンク３１は、その基端部（一端部）が左右方向の横軸３４を支点として回動自在に背もたれ本体部１９に連結されている。操作レバー３０は、横軸３５，３６を介して、固定レバー２９の基端部（一端部）とリンク３１の遊端部（他端部）とに揺動自在に枢着されている。また、固定レバー２９の遊端部（他端部）には、固定用溝３２ａ〜３２ｃに対して嵌脱自在な固定爪３７が設けられている。
【００３１】
図７の実線で示すように、操作レバー３０を固定位置Ｇまで背もたれ７側（後側）へ倒すことにより、固定レバー２９が固定方向へ回動し、固定爪３７が固定用溝３２ａ〜３２ｃのいずれかに嵌入される。また、図７の仮想線で示すように、操作レバー３０を固定解除位置Ｈまで前側へ引き起こすことにより、固定レバー２９が固定解除方向へ回動し、固定爪３７が固定用溝３２ａ〜３２ｃのいずれかから脱抜される。尚、固定レバー２９と操作レバー３０とリンク３１とによってトグル機構が構成されている。
【００３２】
図６に示すように、カバー９は、着座部１５の上方前部を覆う開閉自在な前部カバー体９ａと、着座部１５の上方後部を覆う開閉自在な後部カバー体９ｂとに分割されている。前部カバー体９ａは、座席本体６の前板１１に、横軸３９を介して回動自在に枢着されており、図６（ａ）に示すように着座部１５の上方前部を覆う閉位置Ｓａと図６（ｂ）に示すように着座部１５の上方前部を開放する開位置Ｏａとに開閉する。また、図２〜図４に示すように、前部カバー体９ａは、本体板部４０と、本体板部４０の左右両側から垂設された一対の側板部４１と、本体板部４０の前端から垂設された前板部４２とで構成されている。さらに、前部カバー体９ａは、開位置Ｏａにおいて、上部ほど後方へ傾斜した風防としての機能を有している。
【００３３】
図２〜図４，図６に示すように、前部カバー体９ａの一対の側板部４１には、横軸３９を中心とする円弧状の案内溝４４が形成されている。案内溝４４は、一端に開側固定用孔４５（図２参照）を有し、他端に閉側固定用孔４６（図４，図６参照）を有している。これら各固定用孔４５，４６は案内溝４４の溝幅よりも大径である。また、図４，図６に示すように、座席本体６の一対の側板１３ａ，１３ｂの上縁前部には支持片４８が設けられている。図１１，図１２に示すように、両支持片４８は、前部カバー体９ａの内側から案内溝４４と各固定用孔４５，４６とに挿入可能な円筒状のボス部４９を有している。尚、ボス部４９の外径は各固定用孔４５，４６の直径よりも小さく且つ案内溝４４の幅よりも僅かに小さい。
【００３４】
両支持片４８にはそれぞれ、前部カバー体９ａを閉位置Ｓａ（図２参照）と開位置Ｏａ（図３参照）とに固定するための前部カバー体用固定装置５１が設けられている。図１１，図１２に示すように、前部カバー体用固定装置５１は内側ストッパ５２と外側ストッパ５３と操作つまみ５４とスリーブ５５とねじ５６とナット５７とで構成されている。
【００３５】
内側ストッパ５２は支持片４８の内側に配置され、操作つまみ５４は前部カバー体９ａの側板部４１の外側に配置され、内側ストッパ５２と操作つまみ５４との間に円筒状のスリーブ５５が配置されている。スリーブ５５は支持片４８のボス部４９の孔に回動自在に挿通されており、ねじ５６がスリーブ５５に挿通され、ナット５７をねじ５６に締結することで、スリーブ５５と内側ストッパ５２と操作つまみ５４とが一体的に連結されている。
【００３６】
支持片４８の内側面には嵌込溝５９が形成されており、内側ストッパ５２は嵌込溝５９に対して嵌脱自在である。また、外側ストッパ５３は、円筒状に形成されており、前部カバー体９ａの側板部４１と操作つまみ５４との間に配置され、支持片４８のボス部４９に外嵌されている。外側ストッパ５３は、内側ストッパ５２に向かって内側へ突出した円筒状の固定爪５３ａを有している。この固定爪５３ａの外径は案内溝４４の幅よりも大きく且つ各固定用孔４５，４６の直径よりも僅かに小さく、これにより、固定爪５３ａは各固定用孔４５，４６に対して嵌脱自在である。
【００３７】
すなわち、図１２に示すように、操作つまみ５４を固定位置Ｃまで回した状態では、内側ストッパ５２が、嵌込溝５９に対して直交し、嵌込溝５９から脱抜されている。これにより、操作つまみ５４がねじ５６の軸心方向５６ａにおいて固定され、外側ストッパ５３の固定爪５３ａは、各固定用孔４５，４６に嵌入し、各固定用孔４５，４６から脱抜されない。
【００３８】
また、図１１に示すように、操作つまみ５４を固定解除位置Ｄまで回した状態では、内側ストッパ５２は、嵌込溝５９と同方向になり、操作つまみ５４を外側へ引き出すことによって、嵌込溝５９に嵌まり込む。これにより、外側ストッパ５３が前記軸心方向５６ａにスライド可能となり、固定爪５３ａを各固定用孔４５，４６から外側へ脱抜することができる。
【００３９】
図２，図４，図６に示すように、後部カバー体９ｂは、座席本体６の後板１２に設けられており、着座部１５の上方後部を覆う閉位置Ｓｂと後板１２の後方へ退避する開位置Ｏｂとに開閉する。図５，図８，図１０に示すように、後部カバー体９ｂは、本体板部６２と、本体板部６２の左右両側から垂設された一対の側板部６３と、これら側板部６３間に設けられた左右一対のサポート板６４とで構成されている。両サポート板６４にはそれぞれ、前後方向に長いスライド用の溝６５が形成されている。後板１２の上部には、後上向きに突出したブラケット６６が左右一対設けられている。これら両ブラケット６６の先端部にはそれぞれ、ピン６７が左右方向に設けられており、これらピン６７が溝６５に挿通され、これにより、後部カバー体９ｂが後板１２に設けられている。
【００４０】
尚、図６（ａ）に示すように、後部カバー体９ｂは、背もたれ７を収納位置Ｂへ下降させた状態で、閉位置Ｓｂまで閉めることが可能となる。また、図６（ｂ）に示すように、後部カバー体９ｂを開位置Ｏｂまで開いた状態で、背もたれ７を各使用位置Ａ１〜Ａ３に引き上げることができる。
【００４１】
図２に示すように、カバー９には、前部カバー体９ａと後部カバー体９ｂとをそれぞれ閉位置Ｓａ，Ｓｂにおいて施錠する錠装置７０が設けられている。図１３，図１４に示すように、錠装置７０は、後部カバー体９ｂの前端部に取付けられた錠前シリンダー７１と、錠前シリンダー７１の回転軸の下端に設けられた固定用部材７２と、前部カバー体９ａの後端部下面に取付けられた凹形状の固定用ブリッジ７３とで構成されている。錠前シリンダー７１は取付カバー７４を介して後部カバー体９ｂの本体板部６２に取付けられている。前部カバー体９ａには、本体板部４０と固定用ブリッジ７３とで囲まれた固定用孔７５が形成されている。固定用部材７２は、施錠位置Ｅ（図１４（ｂ）参照）と開錠位置Ｆ（図１４（ａ）参照）との間で回動自在であり、施錠位置Ｅにおいて固定用孔７５内に突入し（図１３参照）、開錠位置Ｆにおいて固定用孔７５の外部へ脱抜する。
【００４２】
図１５，図１６に示すように、足乗せ８は、座席本体６の底板１４の前部に横軸７８を介して回動自在に枢着されており、足挿通用口１６が開口する開位置Ｏｃと足挿通用口１６が閉じられる閉位置Ｓｃとに開閉する。また、足乗せ８は、位置決め装置７９によって開位置Ｏｃに位置決め可能であり、足乗せ用固定装置８０によって閉位置Ｓｃに固定可能である。
【００４３】
位置決め装置７９は、足乗せ８の基端部に設けられたストッパー８１と、底板１４の前部に形成されて下向きに突出した受け部８２とで構成されている。図１５（ｂ）に示すように、足乗せ８は、開位置Ｏｃまで回動すると、ストッパー８１が受け部８２に当接することにより、開位置Ｏｃに位置決めされる。
【００４４】
足乗せ用固定装置８０は、足乗せ８の遊端部に設けられた係合突部８３と、座席本体６の前板１１に設けられた被係合突部８４とで構成されている。係合突部８３は被係合突部８４に対して係脱自在であり、図１５（ａ）に示すように、足乗せ８が閉位置Ｓｃまで回動すると、係合突部８３が被係合突部８４に係合し、これにより、足乗せ８が閉位置Ｓｃに固定される。
【００４５】
図２，図６（ａ）に示すように、前部カバー体９ａと後部カバー体９ｂと足乗せ８とをそれぞれ閉位置Ｓａ，Ｓｂ，Ｓｃへ移動して閉じることにより、座席本体６の内部に、座席本体６とカバー９と足乗せ８とで囲まれた収納空間１７が形成される。
【００４６】
以下、上記構成における作用を説明する。
（１）先ず、子供用座席５を使用する場合を以下に説明する。
この場合、錠装置７０を開錠し、図３，図４に示すように、前部カバー体９ａを開位置Ｏａへ回動しさらに後部カバー体９ｂを開位置Ｏｂへスライドして着座部１５の上方を開放し、背もたれ７を各使用位置Ａ１〜Ａ３のいずれかまで引き上げ、足乗せ８を開位置Ｏｃへ回動して足挿通用口１６を開口する。
【００４７】
前記のように錠装置７０を開錠する際、鍵７６を錠前シリンダー７１の鍵穴７１ａに差し込んで開錠方向へ回すことにより、図１４（ａ）に示すように、固定用部材７２が施錠位置Ｅから開錠位置Ｆまで回動して固定用孔７５の外部へ脱抜する。これにより、錠装置７０が開錠される。
【００４８】
また、前記のように前部カバー体９ａを閉位置Ｓａから開位置Ｏａへ開く際、先ず、図１１（ｂ）に示すように前部カバー体用固定装置５１の操作つまみ５４を固定解除位置Ｄまで回し、図１１（ａ）に示すように操作つまみ５４を外側へ引き出す。これにより、内側ストッパ５２が嵌込溝５９に嵌まり込み、さらに、外側ストッパ５３を軸心方向５６ａに沿って外側へ引き出すことにより、固定爪５３ａが閉側固定用孔４６から脱抜される。
【００４９】
これにより、前部カバー体９ａの閉位置Ｓａにおける固定は解除され、前部カバー体９ａは回動自在な状態になる。また、前部カバー体９ａを閉位置Ｓａから開位置Ｏａへ回動させる際、支持片４８のボス部４９が案内溝４４内を相対的に移動するため、前部カバー体９ａは、ボス部４９と案内溝４４とによって案内され、スムーズに開方向へ回動する。
【００５０】
その後、開位置Ｏａにおいて、図１２（ａ）に示すように前部カバー体用固定装置５１の操作つまみ５４を外側ストッパ５３と共に軸心方向５６ａに沿って内側へ押し込み、図１２（ｂ）に示すように操作つまみ５４を固定位置Ｃまで回す。これにより、固定爪５３ａが開側固定用孔４５に嵌入するとともに、内側ストッパ５２が嵌込溝５９内から脱抜されて嵌込溝５９に対し直交し、前部カバー体９ａが開位置Ｏａに固定されるため、前部カバー体９ａが不用意に閉方向へ回動することはない。
【００５１】
また、図６に示すように、後部カバー体９ｂはピン６７と溝６５とで案内されながら閉位置Ｓｂから開位置Ｏｂへ移動するため、後部カバー体９ｂをスムーズに開くことができる。
【００５２】
また、前記のように背もたれ７を引き上げて例えば上段の使用位置Ａ１に固定する際、図７の仮想線で示すように、操作レバー３０を固定解除位置Ｈにして背もたれ用固定装置２８による固定を解除した状態で、背もたれ７を上段の使用位置Ａ１まで引き上げる。この際、背もたれ７は、案内突部２２と案内板２３とによって上方へ案内されるため、スムーズに上方へ移動する。
【００５３】
その後、図７の実線で示すように、操作レバー３０を固定位置Ｇまで背もたれ７側へ倒す。これにより、固定レバー２９が固定方向へ回動し、固定爪３７が上段の固定用溝３２ａに嵌入され、背もたれ７が上段の使用位置Ａ１に固定される。
【００５４】
また、前記のように足乗せ８を閉位置Ｓｃから開位置Ｏｃへ回動した際、図１５（ｂ）に示すように、足乗せ用固定装置８０の係合突部８３が被係合突部８４から離脱し、位置決め装置７９のストッパー８１が受け部８２に当接することにより、足乗せ８が開位置Ｏｃに位置決めされる。
【００５５】
このような子供用座席５に対して、子供は、座席本体６の上方から着座部１５に座り、背もたれ７にもたれ、両足を足挿通用口１６に挿通して足乗せ８に乗せる。また、図３に示すように、開位置Ｏａまで開かれて固定された前部カバー体９ａは風防としての機能を有するため、子供を子供用座席５に座らせて自転車１を走行させている際、前方からの風が前部カバー体９ａで遮られる。これにより、子供用座席５に座った子供が前方からの風をまともに受けてしまうのを防止することができる。
【００５６】
図７の実線では、背もたれ７を上段の使用位置Ａ１に固定しているが、同様にして、背もたれ用固定装置２８の固定爪３７を中段の固定用溝３２ｂに嵌入することにより、背もたれ７を中段の使用位置Ａ２に固定したり、或いは、固定爪３７を下段の固定用溝３２ｃに嵌入することにより、背もたれ７を下段の使用位置Ａ３に固定することができる（図７の仮想線参照）。このように背もたれ７の使用位置Ａ１〜Ａ３の高さを多段階に調節することができるため、子供の体格に応じて、背もたれ７の高さを変えることができ、快適な座り心地を得ることができる。
【００５７】
（２）次に、子供用座席５を使用しない場合を以下に説明する。
この場合、図６（ａ）に示すように、背もたれ７を収納位置Ｂまで押し下げ、前部カバー体９ａと後部カバー体９ｂとをそれぞれ閉位置Ｓａ，Ｓｂへ移動し、足乗せ８を閉位置Ｓｃへ回動させる。これにより、背もたれ７が座席本体６の内部に収納され、着座部１５の上方がカバー９で覆われるとともに、足挿通用口１６が閉じられるため、雨水や埃等が座席本体６の内部に侵入するのを確実に防ぐことができ、着座部１５や内張りが汚れるのを防止することができる。これにより、座席本体６の内部を掃除する頻度を少なくして、掃除に要する手間を減らすことができる。また、座席本体６の内部には収納空間１７が形成されるため、収納空間１７にヘルメット等の物品を収納することもできる。
【００５８】
前記のように背もたれ７を収納位置Ｂまで押し下げる際、図７の仮想線で示すように、背もたれ用固定装置２８の操作レバー３０を固定解除位置Ｈまで前方へ引き起こす。これにより、固定レバー２９が固定解除方向へ回動し、固定爪３７が上段の固定用溝３２ａから脱抜されて、背もたれ用固定装置２８による固定が解除される。尚、背もたれ７は、案内突部２２と案内板２３とによって下方へ案内されるため、スムーズに下方へ移動する。
【００５９】
また、図６に示すように、後部カバー体９ｂはピン６７と溝６５とで案内されながら開位置Ｏｂから閉位置Ｓｂへ移動するため、後部カバー体９ｂをスムーズに閉じることができる。
【００６０】
また、前記のように前部カバー体９ａを開位置Ｏａから閉位置Ｓａへ閉じる際、先ず、図１１（ｂ）に示すように前部カバー体用固定装置５１の操作つまみ５４を固定解除位置Ｄまで回し、図１１（ａ）に示すように操作つまみ５４を外側へ引き出す。これにより、内側ストッパ５２が嵌込溝５９に嵌まり込み、さらに、外側ストッパ５３を軸心方向５６ａに沿って外側へ引き出すことにより、固定爪５３ａが開側固定用孔４５から脱抜される。
【００６１】
これにより、前部カバー体９ａの開位置Ｏａにおける固定は解除され、前部カバー体９ａは回動自在な状態になる。また、前部カバー体９ａを開位置Ｏａから閉位置Ｓａへ回動させる際、支持片４８のボス部４９が案内溝４４内を相対的に移動するため、前部カバー体９ａは、ボス部４９と案内溝４４とによって案内され、スムーズに閉方向へ回動する。
【００６２】
その後、閉位置Ｓａにおいて、図１２（ａ）に示すように前部カバー体用固定装置５１の操作つまみ５４を外側ストッパ５３と共に軸心方向５６ａに沿って内側へ押し込み、図１２（ｂ）に示すように操作つまみ５４を固定位置Ｃまで回す。これにより、固定爪５３ａが閉側固定用孔４６に嵌入するとともに、内側ストッパ５２が嵌込溝５９内から脱抜されて嵌込溝５９に対し直交し、前部カバー体９ａが閉位置Ｓａに固定されるため、前部カバー体９ａが不用意に開方向へ回動することはない。
【００６３】
また、足乗せ８を開位置Ｏｃから閉位置Ｓｃまで回動した際、図１５（ａ）に示すように、足乗せ用固定装置８０の係合突部８３が被係合突部８４に係合するため、足乗せ８が閉位置Ｓｃに固定され、不用意に開くことはない。
【００６４】
前記のようにして前部カバー体９ａと後部カバー体９ｂとを閉じた後、錠装置７０の錠前シリンダー７１の鍵穴７１ａに鍵７６を差し込んで施錠方向へ回すことにより、図１３，図１４（ｂ）に示すように、固定用部材７２が開錠位置Ｆから施錠位置Ｅまで回動して固定用孔７５内に突入する。これにより、前部カバー体９ａと後部カバー体９ｂとが閉位置Ｓａ，Ｓｂにおいて施錠される。
【００６５】
前記実施の形態１では、背もたれ用固定装置２８は上下三個の固定用溝３２ａ〜３２ｃを有し（図９参照）、背もたれ７を上下三種類の使用位置Ａ１〜Ａ３に固定可能にしているが（図７参照）、前記固定用溝を三個以外の複数個又は一個形成してもよい。これに応じて、背もたれ７の使用位置を三種類以外の複数種類又は一種類にしてもよい。
【００６６】
前記実施の形態１では、一個の錠装置７０を用いて前部カバー体９ａと後部カバー体９ｂとを施錠可能にしているが、前部カバー体９ａを施錠するための錠装置と後部カバー体９ｂを施錠するための錠装置とを個別に設けてもよい。
【００６７】
前記実施の形態１では、子供用座席５をハンドル２に取付けているが、ハンドル２以外の箇所、例えば自転車１の後部の荷台８６等に取付けてもよい。
（実施の形態２）
以下、本発明の実施の形態２を図１７〜図２０を参照しながら説明する。
【００６８】
子供用座席９０は座席本体９１とカバー９２と足乗せ８とを有している。座席本体９１は、前板１１と後板１２と左右一対の側板１３ａ，１３ｂと底板１４とで箱状に形成され、これら前板１１と後板１２と側板１３ａ，１３ｂとで囲まれた着座部１５を内部に有している。
【００６９】
カバー９２は、着座部１５の上方前部を覆う前部カバー体９２ａと、着座部１５の上方後部を覆う開閉自在な後部カバー体９２ｂとに分割されている。後部カバー体９２ｂは、座席本体９１の後板１２の上端部に、横軸９３を備えたヒンジ装置９４を介して回動自在に枢着されており、着座部１５の上方後部を覆う閉位置Ｓｂ（図１７参照）と着座部１５の上方後部を開放する開位置Ｏｂ（図１８参照）とに開閉する。尚、後部カバー体９２ｂは、開位置Ｏｂにおいて、背もたれとして兼用される。
【００７０】
以下、上記構成における作用を説明する。
子供用座席９０を使用する場合、図１８に示すように、後部カバー体９２ｂを閉位置Ｓｂから開位置Ｏｂまで回動して、着座部１５の上方後部を開放し、さらに、足乗せ８を閉位置Ｓｃから開位置Ｏｃまで回動して、足挿通用口１６を開口する。
【００７１】
このような子供用座席９０に対して、子供は、座席本体９１の上方後部から着座部１５に座り、両足を足挿通用口１６に挿通して足乗せ８に乗せる。この際、開位置Ｏｂの後部カバー体９２ｂは背もたれとして兼用されるため、子供は後部カバー体９２ｂにもたれることができる。これにより、後部カバー体９２ｂと背もたれとを共通の部材で構成することができ、部品点数を削減してコストダウンを図ることができる。
【００７２】
また、子供用座席９０を使用しない場合、図１７に示すように、後部カバー体９２ｂを開位置Ｏｂから閉位置Ｓｂまで回動して、着座部１５の上方後部を閉じ、さらに、足乗せ８を開位置Ｏｃから閉位置Ｓｃまで回動して、足挿通用口１６を閉じる。これにより、着座部１５の上方がカバー９２で覆われ、雨水や埃等が座席本体９１の内部に侵入するのを確実に防ぐことができ、着座部１５や内張りが汚れるのを防止することができる。これにより、座席本体９１の内部を掃除する頻度を少なくして、掃除に要する手間を減らすことができる。また、座席本体９１の内部には収納空間１７が形成されるため、収納空間１７にヘルメット等の物品を収納することもできる。
【００７３】
（実施の形態３）
以下、本発明の実施の形態３を図２１，図２２を参照しながら説明する。
子供用座席９６は自転車１の後部の荷台９７に取付けられている。子供用座席９６は座席本体９８とカバー９９と左右一対の足乗せ１００とを有している。座席本体９８は、前板１１と後板１２と左右一対の側板１３ａ，１３ｂと底板１４とで箱状に形成され、これら前板１１と後板１２と側板１３ａ，１３ｂとで囲まれた着座部１５を内部に有している。一対の側板１３ａ，１３ｂにはそれぞれ、座席本体９８の内外へ連通する足挿通用口１０１が形成されている。
【００７４】
カバー９９は、座席本体９８の後板１２の上端部に、横軸１０２を備えたヒンジ装置１０３を介して回動自在に枢着されており、着座部１５の上方を覆う閉位置Ｓｂ（図２１参照）と着座部１５の上方後部を開放する開位置Ｏｂ（図２２参照）とに開閉する。尚、カバー９９は、開位置Ｏｂにおいて、背もたれとして兼用される。
【００７５】
足乗せ１００は、座席本体９８の一対の側板１３ａ，１３ｂに回動自在に設けられており、足挿通用口１０１が開口する開位置Ｏｃ（図２２参照）と足挿通用口１０１が閉じられる閉位置Ｓｃ（図２１参照）とに開閉する。
【００７６】
以下、上記構成における作用を説明する。
子供用座席９６を使用する場合、図２２に示すように、カバー９９を閉位置Ｓｂから開位置Ｏｂまで回動して、着座部１５の上方を開放し、さらに、左右両方の足乗せ１００を閉位置Ｓｃから開位置Ｏｃまで回動して、両足挿通用口１０１を開口する。
【００７７】
このような子供用座席９６に対して、子供は、座席本体９８の上方から着座部１５に座り、両足を足挿通用口１０１に挿通して両足乗せ１００に乗せる。この際、開位置Ｏｂのカバー９９は背もたれとして兼用されるため、子供はカバー９９にもたれることができる。これにより、カバー９９と背もたれとを共通の部材で構成することができ、部品点数を削減してコストダウンを図ることができる。
【００７８】
また、子供用座席９６を使用しない場合、図２１に示すように、カバー９９を開位置Ｏｂから閉位置Ｓｂまで回動して、着座部１５の上方を閉じ、さらに、両方の足乗せ１００を開位置Ｏｃから閉位置Ｓｃまで回動して、両足挿通用口１０１を閉じる。これにより、着座部１５の上方がカバー９９で覆われ、雨水や埃等が座席本体９８の内部に侵入するのを確実に防ぐことができ、着座部１５や内張りが汚れるのを防止することができる。これにより、座席本体９８の内部を掃除する頻度を少なくして、掃除に要する手間を減らすことができる。また、座席本体９８の内部には収納空間１７が形成されるため、収納空間１７にヘルメット等の物品を収納することもできる。
【産業上の利用可能性】
【００７９】
本発明は、自転車に取付けられる子供用座席であって、自転車は通常の自転車のみに限定されるものではなく、電動式自転車や三輪車、折畳式自転車等、様々な形式の自転車に適用させることができる。
【図面の簡単な説明】
【００８０】
【図１】本発明の実施の形態１における子供用座席を取付けた自転車の側面図
【図２】同、自転車に取付けられる子供用座席を閉じた状態で斜め前方から見た斜視図
【図３】同、自転車に取付けられる子供用座席を開いた状態で斜め前方から見た斜視図
【図４】同、自転車に取付けられる子供用座席を開いた状態で斜め後方から見た斜視図
【図５】同、自転車に取付けられる子供用座席の後部の拡大斜視図
【図６】（ａ）は閉じた状態の子供用座席の縦断面図、（ｂ）は開いた状態の子供用座席の縦断面図
【図７】同、子供用座席の背もたれ用固定装置の側面図
【図８】図６（ｂ）におけるＸ−Ｘ矢視図
【図９】図７におけるＸ−Ｘ矢視図
【図１０】同、子供用座席の後部カバー体を開いた状態での一部切欠き背面図
【図１１】（ａ）は子供用座席の前部カバー体用固定装置の固定解除状態の縦断面図、（ｂ）は（ａ）におけるＸ−Ｘ矢視図、（ｃ）は（ａ）におけるＹ−Ｙ矢視図
【図１２】（ａ）は子供用座席の前部カバー体用固定装置の固定状態の縦断面図、（ｂ）は（ａ）におけるＸ−Ｘ矢視図、（ｃ）は（ａ）におけるＹ−Ｙ矢視図
【図１３】同、子供用座席の錠装置の縦断面図
【図１４】（ａ）は子供用座席の錠装置の開錠状態での平面図、（ｂ）は錠装置の施錠状態での平面図
【図１５】（ａ）は子供用座席の閉状態の足乗せの縦断面図、（ｂ）は子供用座席の開状態の足乗せの縦断面図
【図１６】図１５（ａ）におけるＸ−Ｘ矢視図
【図１７】本発明の実施の形態２における子供用座席を閉じた自転車の側面図
【図１８】同、子供用座席を開いた自転車の側面図
【図１９】同、子供用座席の側面図
【図２０】同、子供用座席の平面図
【図２１】本発明の実施の形態３における子供用座席を閉じた自転車の側面図
【図２２】同、子供用座席を開いた自転車の側面図
【図２３】従来の子供用座席の側面図
【符号の説明】
【００８１】
１      自転車
５      子供用座席
６      座席本体
７      背もたれ
８      足乗せ
９      カバー
９ａ    前部カバー体
９ｂ    後部カバー体
１５    着座部
１６    足挿通用口
１７    収納空間
２８    背もたれ用固定装置
５１    前部カバー体用固定装置
Ａ１〜Ａ３    使用位置
Ｂ      収納位置
【図１】
2008137469.tif 000003
【図２】
2008137469.tif 000004
【図３】
2008137469.tif 000005
【図４】
2008137469.tif 000006
【図５】
2008137469.tif 000007
【図６】
2008137469.tif 000008
【図７】
2008137469.tif 000009
【図８】
2008137469.tif 000010
【図９】
2008137469.tif 000011
【図１０】
2008137469.tif 000012
【図１１】
2008137469.tif 000013
【図１２】
2008137469.tif 000014
【図１３】
2008137469.tif 000015
【図１４】
2008137469.tif 000016
【図１５】
2008137469.tif 000017
【図１６】
2008137469.tif 000018
【図１７】
2008137469.tif 000019
【図１８】
2008137469.tif 000020
【図１９】
2008137469.tif 000021
【図２０】
2008137469.tif 000022
【図２１】
2008137469.tif 000023
【図２２】
2008137469.tif 000024
【図２３】
2008137469.tif 000025